(57)【要約】【課題】従来のマルチリモコンでは、機器側とリモコンが機器判別信号を通信することにより機器を特定してリモコンのキーを割り当てるため、通信せずにリモコンのキーを割り当てることができなかった。【解決手段】リモコン操作時に水平位置に対してのリモコンの角度を水平検出装置４で検出する。検出した角度と予め設定しておいた基準となる角度を比較して、リモコンでどの機器を制御対象としているかを判断する。予め設定しておいた各機器のリモコンのキー割り当て情報及びキー表示情報から、制御対象と判断した機器のリモコンのキー割り当て情報及びキー表示情報を取得して、リモコンのキーに割り当てる。【選択図】図１
2007201873.tif 000002
【特許請求の範囲】
【請求項１】
複数の機器を制御するための制御信号を送信する送信部と、
前記送信部が向けられた操作方向を検出する方向検出部と、
前記制御信号、制御画面情報、及び前記操作方向と前記複数の機器とを対応づける識別情報を格納する記憶部と、
前記制御画面情報に対応する機器毎の制御画面を表示する表示部と、
前記制御画面上でユーザが選択した操作を入力する入力部と、
前記方向検出部の検出結果に応じた前記識別情報で制御対象の機器を識別し、前記制御対象機器に対応する前記制御画面を前記表示部に表示し、前記入力部で入力したユーザ操作に対応する前記制御信号を前記送信部により送信する制御部とを
備えたリモコン装置。
【請求項２】
前記方向検出部は、前記操作方向の水平位置からの角度を検出し、
前記記憶部は、前記操作方向として前記水平位置からの角度を用いる
請求項１に記載のリモコン装置。
【請求項３】
前記方向検出部は、前記操作方向の方位を検出し、
前記記憶部は、前記操作方向として前記方位を用いる
請求項１に記載のリモコン装置。
【請求項４】
前記識別情報の操作方向と機器との対応づけを、前記入力部を介して変更する請求項１から請求項３の何れかに記載のリモコン装置。
【発明の詳細な説明】
【技術分野】
【０００１】
本発明は、各種機器を制御するためのコードを記録し発信することのできるリモコンに関するものである。
【背景技術】
【０００２】
近年、一台のリモコンを用いて、異なる複数の機器を制御することができるものがある。このようなリモコンを用いて複数の機器を制御する場合、制御対象の機器毎にリモコン機能を変更する必要があるために、ユーザは最初に制御対象の機器を指定し、その後に指定した機器に対する各種リモコン操作を行う。したがって、あらかじめ制御対象の機器を指定するための操作が必要となり、その操作が煩雑であるという課題があった。
【０００３】
このような課題を解決するために、特許文献１では、各機器側からリモコンに機器判別信号を発信し、リモコンが発信された機器判別信号を受信し、受信した信号を解読し、記憶装置から該当する機器のリモコンコードをリモコンの各キーに割り当てることにより、リモコン機能を変更するという方法が開示されている。これにより、リモコンを制御したい機器に向け、リモコンボタンを押すだけで操作したい機器を制御することができ、面倒な操作を必要とせずに容易に操作したい機器を制御することができる。
【特許文献１】特開平７−１２３４７９号公報
【発明の開示】
【発明が解決しようとする課題】
【０００４】
しかしながら、従来のリモコンでは、機器を特定してリモコンの機能を変更するために、機器との間で機器判別信号を通信する必要がある。したがって、リモコンは、送信部のみならず、機器側からの機器判別信号を受信するための受信部を備える必要があり、リモコンのコストアップにつながるという課題があった。さらに、制御対象の機器にも、受信部のみならず、機器判別信号を送信するための送信部が必要となり、リモコンは、そのような機器判別信号を送信する機能を備えた機器のみしか、判別することができないという課題があった。
本発明は、このような課題を解決するものであり、リモコンに新たに受信部等を設ける必要がなく、さらに制御対象の機器として機器判別信号の送信機能を備えた機器に限定されることなく、リモコンを制御したい機器に向けリモコン操作を行うだけで、制御対象の機器を特定しリモコン機能を変更することができ、面倒な操作を必要とせずに容易に操作したい機器を制御することができる多機能リモコン装置を提供することを目的とする。
【課題を解決するための手段】
【０００５】
上記課題を解決するために本発明のリモコン装置は、複数の機器を制御するための制御信号を送信する送信部と、前記送信部が向けられた操作方向を検出する方向検出部と、前記制御信号、制御画面情報、及び前記操作方向と前記複数の機器とを対応づける識別情報を格納する記憶部と、前記制御画面情報に対応する機器毎の制御画面を表示する表示部と、前記制御画面上でユーザが選択した操作を入力する入力部と、前記方向検出部の検出結果に応じた前記識別情報で制御対象の機器を識別し、前記制御対象機器に対応する前記制御画面を前記表示部に表示し、前記入力部で入力したユーザ操作に対応する前記制御信号を前記送信部により送信する制御部とを備える。
【発明の効果】
【０００６】
本発明によれば、リモコンに新たに受信部等を設ける必要がなく、さらに制御対象の機器として特定の機能を備えた機器に限定されることなく、リモコンを制御したい機器に向けリモコン操作を行うだけで、制御対象の機器を特定しリモコン機能を変更することができ、面倒な操作を必要とせずに容易に操作したい機器を制御することができる。
【発明を実施するための最良の形態】
【０００７】
以下、本発明の多機能リモコン装置について、図面を用いて詳細に説明する。
（実施例１）
図１は、本発明の実施例１における多機能リモコン装置の構成を示すブロック図である。
【０００８】
図１において、１はメモリ、２はメモリ制御、３はＣＰＵ、４は水平検出部、５はＬＣＤ制御部、６はパネル制御部、７は送出コード生成部、８は送信部、９はＬＣＤ、１０はタッチパネルである。メモリ１は、制御対象となる複数の機器のリモコン情報を記録している。リモコン情報には、送出コード生成部７で使用する制御コード、およびＬＣＤ９に表示する機器毎の表示画面情報が含まれている。さらにメモリ１は、リモコン機能を切り替える基準となる角度、および角度毎に対応する制御対象機器を特定する機器種別情報が記録されている。メモリ制御部２は、ＣＰＵ３からの要求に基づき、メモリ上の情報の読出し、及びメモリ上への情報の書き込みを行う。ＣＰＵ３は、リモコン装置内部の各種制御を行う。水平検出部４は、リモコン操作時の水平位置に対するリモコン装置の操作角度を検出するものである。ＬＣＤ９は、制御対象の機器に合わせて、リモコン操作時の画面を表示するものであり、ＬＣＤ制御部５は、ＬＣＤ９への各種画面表示を制御する。タッチパネル１０は、ＬＣＤ９に画面情報を出力した状態で、ユーザによるパネル上への操作により入力情報を検出するものであり、パネル制御部６は、タッチパネル１０へのユーザによる入力操作により、どのリモコンキーが入力されたかを判断する。送出コード生成部７は、機器を制御するために必要なコードを生成する。送信部８は、送出コード部７で生成した送出コードを、制御対象となる機器に対して送信する。
【０００９】
以上のように構成されたリモコン装置について、以下その動作を説明する。
【００１０】
ユーザはリモコン装置を用いて、機器の各種操作を行うにあたって、リモコン装置を制御対象機器の設置場所の方向に向ける。この際、水平検出部４は、水平位置に対するリモコン装置の操作角度を検出する。ＣＰＵ３は、メモリ１上の角度毎に対応する機器を特定する情報を、メモリ制御部３を介して読み出し、その情報を用いて検出した操作角度に対応するリモコンの制御対象となる機器が何であるかを特定する。ＣＰＵ３は、機器を特定した後、その機器に対するリモコン情報を、メモリ制御部２を介してメモリ１から取得する。取得したリモコン情報は、ＬＣＤ制御部５を介してＬＣＤ９に出力され、ＬＣＤ９にはリモコン操作用のボタンをはじめとする各種情報が表示される。
【００１１】
ユーザは、出力された画面情報上で、機器に対して行う操作に対応するボタンが表示された部分をタッチする。タッチパネル１０は、ユーザによる入力操作を検出し、パネル制御部６は、タッチパネル１０から入力された情報により、どのリモコンキーが入力されたかを判断する。判断した情報を基に、そのキーに対応する制御コードをメモリ１から取得し、送出コード生成部７は対応する送出コードを生成し、送信部８を介して制御対象となる機器に対して送信する。
【００１２】
図２は、本発明の多機能リモコン装置の角度判定を示す概念図であり、同図を用いて、リモコン装置の操作角度により操作対象を特定する方法を、より詳細に説明する。
【００１３】
テレビメニューリモコン２１は、多機能リモコン装置の制御対象となる機器がテレビ２３であり、テレビ用のリモコンメニューが表示されている状態のリモコン装置を表している。また、エアコンメニューリモコン２２は、多機能リモコン装置の制御対象となる機器がエアコン２４であり、エアコン用のリモコンメニューが表示されている状態のリモコン装置を表している。
【００１４】
リモコン装置におけるメモリ１には、水平位置に対する操作角度が０〜Ｘ度、（１８０−Ｘ）度〜３６０度の場合の制御対象機器はテレビであり、一方、Ｘ度〜（１８０−Ｘ）度の場合はエアコンであることが記録されている。
【００１５】
図２におけるテレビメニューリモコン２１のように、リモコン装置の水平位置に対する操作角度が０〜Ｘ度、あるいは（１８０−Ｘ）度〜３６０度の間のいずれかの角度である場合、リモコン装置は水平検出部４を用いてその時の水平位置に対する操作角度を検出し、その操作角度により制御対象機器がテレビであると判断し、テレビ用のリモコン画面を表示し、ユーザによるテレビに対する各種操作を実行する。一方、リモコン装置は、エアコンメニューリモコン２２のように、水平位置に対する操作角度がＸ度〜（１８０−Ｘ）度のいずれかの角度であることを検出した場合、制御対象機器がエアコンであると判断し、エアコン用のリモコン機能に切り替える。
【００１６】
リモコン装置の水平位置に対する操作角度と、それに対応するリモコンの制御対象となる機器とは、ユーザ操作によって変更することができる。ユーザによるタッチパネル１０への操作により、メモリ１上に記録されているリモコン機能を切り替える基準となる操作角度と対応する制御対象機器の種類とが、ＬＣＤ９上に表示される。ユーザはタッチパネル１０を操作することにより、操作角度、制御対象機器の種類、およびその対応づけを変更することができる。変更された情報はユーザ操作によりメモリ１上に記録され、それ以降は、操作角度による制御対象機器の判断は変更後の情報を用いて行われる。これにより、リモコン操作可能な様々な機器が設置された環境でリモコン装置を使用するにあたって、制御対象機器や、その時の操作角度を適切に変更することができ、様々な環境でリモコン装置を使用することができる。
【００１７】
なお、本実施例では、制御対象機器としてエアコンとテレビを用いた場合について説明したが、制御対象機器はこれに限るものではなく、ＤＶＤ(Digital Versatile Disc)、ビデオ、オーディオコンポ、照明等の他のリモコンにより操作可能な機器であってもよい。
【００１８】
なお、本実施例では、制御対象機器として２つの機器を用いた場合について説明したが、制御対象機器の数はこれに限るものではなく、操作角度と制御対象機器の種類との対応づけを追加することによって、３種類以上の任意の数の機器についても、適用することができる。
【００１９】
以上のように、本実施例では、リモコン装置を制御したい機器に向けることで、その際のリモコン装置の水平位置に対する操作角度を検出し、それを基に制御対象の機器を特定しリモコン機能を変更することができるため、面倒な操作を必要とせずに容易に操作したい機器を制御することができる。
（実施例２）
図３は、本発明の実施例２における多機能リモコン装置の構成を示すブロック図である。
【００２０】
図３において、図１と同一の構成要素には同一番号を付与し説明を省略する。１４は方位検出部であり、リモコン操作時の方位角度を検出するものである。メモリ１には、リモコン機能を切り替える基準となる方位角度、および角度毎に対応する制御対象機器を特定する機器種別情報が記録されている。
【００２１】
以上のように構成されたリモコン装置について、以下その動作を説明する。
【００２２】
ユーザはリモコン装置を用いて、機器の各種操作を行うにあたって、リモコン装置を制御対象機器の設置場所の方向に向ける。この際、方位検出部１４は、リモコン装置の方位角度を検出する。ＣＰＵ３は、メモリ１上の方位角度毎に対応する機器を特定する情報を、メモリ制御部３を介して読み出し、その情報を用いて検出した操作方位角度に対応するリモコンの制御対象となる機器が何であるかを特定する。ＣＰＵ３は、機器を特定した後、その機器に対するリモコン情報を、メモリ制御部２を介してメモリ１から取得する。取得したリモコン情報は、ＬＣＤ制御部５を介してＬＣＤ９に出力され、ＬＣＤ９にはリモコン操作用のボタンをはじめとする各種情報が表示される。
【００２３】
ユーザによる機器への操作に関しては、実施例１と同様であり、説明を省略する。
【００２４】
図４は、本発明の多機能リモコン装置の方位角度判定を示す概念図であり、同図を用いて、リモコン装置の操作方位角度により操作対象を特定する方法を、より詳細に説明する。
【００２５】
ビデオメニューリモコン２５は、多機能リモコン装置の制御対象となる機器がビデオ２７であり、ビデオ用のリモコンメニューが表示されている状態のリモコン装置を表している。また、オーディオコンポメニューリモコン２６は、多機能リモコン装置の制御対象となる機器がオーディオコンポ２８であり、オーディオコンポ用のリモコンメニューが表示されている状態のリモコン装置を表している。
【００２６】
リモコン装置におけるメモリ１には、真北からの方位角度が０〜Ｙ度、（３６０−Ｙ）度〜３６０度の場合の制御対象機器はオーディオコンポであり、一方、Ｙ度〜（３６０−Ｙ）度の場合はビデオであることが記録されている。
【００２７】
図４におけるオーディオコンポメニューリモコン２６のように、リモコン装置の真北からの方位角度が０〜Ｙ度、あるいは（３６０−Ｙ）度〜３６０度の間のいずれかの方位である場合、リモコン装置は方位検出部１４を用いてその時の真北からの方位角度を検出し、その操作角度により制御対象機器がオーディオコンポであると判断し、オーディオコンポ用のリモコン画面を表示し、ユーザによるオーディオコンポに対する各種操作を実行する。一方、リモコン装置は、ビデオメニューリモコン２５のように、真北からの方位角度がY度〜（３６０−Y）度のいずれかの角度であることを検出した場合、制御対象機器がビデオであると判断し、ビデオ用のリモコン機能に切り替える。
【００２８】
リモコン装置の方位角度と、それに対応するリモコンの制御対象となる機器とは、ユーザ操作によって変更することができる。ユーザによるタッチパネル１０への操作により、メモリ１上に記録されているリモコン機能を切り替える基準となる方位角度と対応する制御対象機器の種類とが、ＬＣＤ９上に表示される。ユーザはタッチパネル１０を操作することにより、操作角度、制御対象機器の種類、およびその対応づけを変更することができる。変更された情報はユーザ操作によりメモリ１上に記録され、それ以降は、操作方位角度による制御対象機器の判断は変更後の情報を用いて行われる。これにより、リモコン操作可能な様々な機器が設置された環境でリモコン装置を使用するにあたって、制御対象機器や、その時の操作角度を適切に変更することができ、様々な環境でリモコン装置を使用することができる。
【００２９】
なお、本実施例では、制御対象機器としてオーディオコンポとビデオの２つの機器を用いた場合について説明したが、制御対象機器はこれに限るものではなく、他のリモコンにより操作可能な機器であってもよく、また３種類以上の任意の数の機器についても、適用することができる。
【００３０】
以上のように、本実施例では、リモコン装置を制御したい機器に向けることで、その際のリモコン装置の方位角度を検出し、それを基に制御対象の機器を特定しリモコン機能を変更することができるため、面倒な操作を必要とせずに容易に操作したい機器を制御することができる。
【００３１】
なお、実施例１と実施例２とを組み合わせて、リモコン装置の水平位置に対する角度、および方位角度を組み合わせて、制御対象機器を特定してもよい。
【産業上の利用可能性】
【００３２】
本発明にかかる多機能リモコン装置は、機器側からリモコン装置に対する通信を行わずに制御対象の機器を特定することが可能であり、リモコンによる操作可能な各種機器に適用することができ、有用である。
【図面の簡単な説明】
【００３３】
【図１】本発明の一実施の形態における多機能リモコン装置の構成を示すブロック図
【図２】同多機能リモコン装置の水平角度判定を示す概念図
【図３】本発明の他の実施の形態における多機能リモコン装置の構成を示すブロック図
【図４】同多機能リモコン装置の方位角度判定を示す概念図
【符号の説明】
【００３４】
１  メモリ
２  メモリ制御部
３  ＣＰＵ
４  水平検出部
５  ＬＣＤ制御部
６  パネル制御部
７  送出コード生成部
８  送信部
９  ＬＣＤ
１０  タッチパネル
１４  方位検出部
２１  テレビメニューリモコン
２２  エアコンメニューリモコン
２３  テレビ
２４  エアコン
２５  ビデオメニューリモコン
２６  オーディオコンポメニューリモコン
２７  ビデオ
２８  オーディオコンポ
【図１】
2007201873.tif 000003
【図２】
2007201873.tif 000004
【図３】
2007201873.tif 000005
【図４】
2007201873.tif 000006